(57)【要約】      （修正有）【課題】旋回体に、標準仕様よりも大きいチェーンソーなどの収納物を収納できる収納箱を設けた小型油圧ショベルを提供する。【解決手段】旋回体２上に工具等の収納物の収納が可能な収納箱１０を備えたミニショベルであり、収納箱１０に、標準仕様のチェーンソーよりも大きなチェーンソー３０が収納されたときに、そのチェーンソー３０の一部を構成する刃３０ａの外部への突出を可能にさせる開口部１０ｄを設けてある。開口部１０ｄは、収納箱１０の側板１０ｂに設けられ、上端が上方空間に連なる開放部１０ｃに連通し、下端が収納箱１０の底板１０ａの近傍に位置し、上下方向に延設された形状から成っている。【選択図】図６
2016211165.tif 000002
【特許請求の範囲】
【請求項１】
走行体と、この走行体上に配置され、作業装置が取り付けられる旋回体と、前記旋回体上に収納物の収納が可能な収納箱を備えた小型油圧ショベルにおいて、
前記収納箱に、前記収納物が標準仕様のものよりも形状寸法が大きいときに、その収納物の一部の外部への突出を可能にさせる開口部を設けたことを特徴とする小型油圧ショベル。
【請求項２】
請求項１に記載の小型油圧ショベルにおいて、
前記収納物は、工具を含み、
前記開口部は、前記収納箱の側板に設けられ、上端が上方空間に連通し、下端が前記収納箱の底板の近傍に位置し、上下方向に延設された形状からなることを特徴とする小型油圧ショベル。
【請求項３】
請求項１に記載の小型油圧ショベルにおいて、
前記開口部を開閉可能な蓋部を備えたことを特徴とする小型油圧ショベル。
【請求項４】
請求項３に記載の小型油圧ショベルにおいて、
前記収納箱の前記側板に取り付けられ、前記蓋部を開閉可能に保持するヒンジ部を備えたことを特徴とする小型油圧ショベル。
【請求項５】
請求項３項に記載の小型油圧ショベルにおいて、
前記収納箱の前記側板に取り付けられ、前記蓋部をスライド可能に保持する案内部を備えたことを特徴とする小型油圧ショベル。
【請求項６】
請求項１に記載の小型油圧ショベルにおいて、
前記外装カバーに固定され、前記収納箱が取り付けられるベース部材を備えたことを特徴とする小型油圧ショベル。
【発明の詳細な説明】
【技術分野】
【０００１】
本発明は、旋回体に工具等の収納物を収納可能な収納箱を備えた小型油圧ショベルに関する。
【背景技術】
【０００２】
従来、走行体上に配置される旋回体に、工具等の収納物を収納可能な収納箱を備えた油圧ショベルが特許文献１に開示されている。この従来技術は、中型の油圧ショベルによって構成されている。
【先行技術文献】
【特許文献】
【０００３】
【特許文献１】特開２００２−２６６３７８号公報
【発明の概要】
【発明が解決しようとする課題】
【０００４】
収納物が例えば木を切断するチェーンソーである場合、標準仕様の刃を有するチェーンソーの収納を考慮して収納箱の形状寸法が設定される。しかしながらチェーンソーの刃が標準仕様よりも大きい刃を有するものであった場合、前述した収納箱には収納することができない。
【０００５】
なお、このように標準仕様よりも大きい刃を有するチェーンソーの収納を考慮して、収納箱の形状寸法を予め大きく設定することが考えられるが、中型油圧ショベルよりも旋回体上の配置空間に制約を受けるミニショベルなどの小型油圧ショベルでは、収納箱を設置できる旋回体の形状寸法が基本的に小さく、それにより収納箱の大きさも制限され、これに伴い収納箱に収納できるチェーンソーなどの収納物の大きさが予め限られている。
【０００６】
本発明は、前述した従来技術における実情からなされたもので、その目的は、旋回体に、標準仕様よりも大きいチェーンソーなどの収納物を収納できる収納箱を設けた小型油圧ショベルを提供することにある。
【課題を解決するための手段】
【０００７】
この目的を達成するために、本発明は、走行体と、この走行体上に配置され、作業装置が取り付けられる旋回体と、前記旋回体上に収納物の収納が可能な収納箱を備えた小型油圧ショベルにおいて、前記収納箱に、前記収納物が標準仕様のものよりも形状寸法が大きいときに、その収納物の一部の外部への突出を可能にさせる開口部を設けたことを特徴としている。
【発明の効果】
【０００８】
本発明に係る小型油圧ショベルは、収納物が標準仕様よりも大きいときには、その大きな収納物の一部を開口部から外部へ突出させることにより、収納箱に収納させることができる。すなわち本発明は、収納箱に標準仕様の収納物とともに、標準仕様の収納物よりも大きい収納物も収納できる収納箱を設けることができる。また、本発明は、標準仕様の収納物を考慮して収納箱の形状寸法を設定することにより、収納箱の形状寸法が大きくなり過ぎないように制限することができる。したがって本発明は、収納箱が設置される旋回体の形状寸法に制約を受けるミニショベル等の小型油圧ショベルであっても、旋回体に、標準仕様よりも大きいチェーンソーなどの収納物を収納できる収納箱を設けることができる。
【図面の簡単な説明】
【０００９】
【図１】本発明に係る小型油圧ショベルの第１実施形態を示す側面図である。
【図２】第１実施形態の要部構成を示す斜視図である。
【図３】図２の部分拡大斜視図である。
【図４】第１実施形態に備えられる収納箱が取り付けられるベース部材が設置されている状態を示す要部斜視図である。
【図５】図４に示すベース部材に収納箱を取り付けた状態を示す要部斜視図である。
【図６】収納箱に工具の一例として挙げたチェーンソーを収納した状態を示す要部斜視図である。
【図７】収納箱に工具の一例として挙げたチェーンソーを収納した状態を示す要部平面図である。
【図８】本発明の第２実施形態の要部を構成する収納箱を取り付けた状態を示す斜視図である。
【図９】本発明の第３実施形態の要部を構成する収納箱を取り付けた状態を示す斜視図である。
【発明を実施するための形態】
【００１０】
以下、本発明に係る小型油圧ショベルの実施の形態を図面に基づいて説明する。
【００１１】
図１，２に示すように、本発明の第１実施形態に係る小型油圧ショベルは、例えばミニショベルから成っている。このミニショベルは、走行体１と、この走行体１上に配置され車体を構成する旋回体２と、この旋回体２に上下方向の回動可能に接続される作業装置３とを備えている。
【００１２】
作業装置３は、旋回体２に上下方向の回動可能に連結されるブーム４と、このブーム４の先端に上下方向の回動可能に連結されるアーム５と、このアーム５の先端に連結され、例えば伐採した木等の把持が可能な把持装置６とを備えている。
【００１３】
旋回体２上には、運転席７と、この運転席７を覆うように配置されるキャノピー８とを設けてある。運転席７の側方に外装カバー９を有し、この外装カバー９上には、工具等の収納物例えば後述のチェーンソー３０等を収納可能な収納箱を固定してある。この収納箱１０は、後述のチェーンソー３０の刃３０ａよりも形状寸法が小さく設定された標準仕様の刃を有するチェーンソーの収納を考慮して、比較的小さな形状寸法に設定してある。
【００１４】
図３に示すように、収納箱１０には、この収納箱１０に収納された収納物の一部、例えば工具である後述のチェーンソー３０の刃３０ａの外部への突出を可能にさせる開口部１０ｄを設けてある。
【００１５】
収納箱１０の開口部１０ｄは、収納箱１０の側板１０ｂに設けられ、上端が上方空間に連なる開放部１０ｃに連通し、下端が収納箱１０の底板１０ａの近傍に位置し、上下方向に延設された形状から成っている。
【００１６】
また、図４，５に示すように、この第１実施形態は、前述した運転席７の側方に設けた外装カバー９に固定されるベース部材２０を備えている。このベース部材２０には、複数のボルト穴２０ａを形成してある。収納箱１０にも、ベース部材２０の複数のボルト穴２０ａのそれぞれに適合する複数の穴を形成してある。収納箱１０は、この収納箱１０に形成された複数の穴と、ベース部材２０の複数のボルト穴２０ａにそれぞれ挿入される複数のボルト２１によって、ベース部材２０に取り付けてある。
【００１７】
図６，７に示すように、標準仕様の刃よりも大きな刃３０ａを有するチェーンソー３０の収納時には、チェーンソー３０の一部、すなわちチェーンソー３０の刃３０ａを収納箱１０の開口部１０ｄから外部に突出させるようにして収納する。なお図示しないが、標準仕様の刃を有するチェーンソーの収納時には、例えばその全体を収納箱１０に収納できる。
【００１８】
このように構成した第１実施形態に係るミニショベルでは、標準仕様の刃を有するチェーンソーの収納を考慮して、収納箱１０の形状寸法を設定した場合であっても、前述したように収納されるチェーンソー３０が標準仕様の刃よりも大きな刃３０ａを有するときには、図６，７に示したように、その大きな刃３０ａの一部を開口部１０ｄから外部へ突出させることによって、収納箱１０に収納させることができる。すなわち、この第１実施形態によれば、収納箱１０に標準仕様の刃を有するチェーンソーを収納できるとともに、標準仕様の刃よりも大きな刃３０ａを有するチェーソー３０も収納することができる。
【００１９】
また、この第１実施形態は、標準仕様の刃を有するチェーンソーの収納を考慮して収納箱１０の形状寸法を設定してあり、収納箱１０の形状寸法が大きくなり過ぎないように制限することができる。したがって、この第１実施形態は、旋回体２の形状寸法に制約を受ける当該ミニショベルであっても、旋回体２上に、収納箱１０の設置スペースを確保でき、この収納箱１０を安定して設置することができる。
【００２０】
また、この第１実施形態は、収納箱１０の開口部１０ｄが収納箱１０の側板１０ｂに設けられ、上端が上方空間に連通し、下端が収納箱１０の底板１０ａの近傍に位置し、上下方向に延設された形状から成ることから、チェーンソー３０を収納箱１０に収納する際には、チェーンソー３０の大きな刃３０ａの部分を収納箱１０の上方から下降させて開口部１０ｄに挿入することができる。また、チェーンソー３０を収納箱１０から取り出す際には、チェーンソー３０を単に上方に向って持ち上げればよく、開口部１０ｄ内において刃３０ａを移動させて抵抗なく持ち上げることができる。すなわち、この第１実施形態は、大きな刃３０ａを有するチェーンソー３０であっても、収納箱１０への収納、及び取り出しを容易に行うことができる。
【００２１】
また、この第１実施形態は、ボルト２１によって収納箱１０を、外装カバー９に固定したベース部材２０に取り付けることにより、収納箱１０を安定して外装カバー９に保持させ、信頼性の高いミニショベルを実現させることができる。
【００２２】
図８に要部を示す本発明の第２実施形態も、基本的な外観は前述した図１，２に示したミニショベルと同等である。この第２実施形態に係るミニショベルに備えられる収納箱１０の開口部１０ｄには、開口部１０ｄを開閉可能な蓋部１１を備えている。また、収納箱１０の側板１０ｂに取り付けられ、蓋部１１を開閉可能に保持するヒンジ部１２を備えている。その他の構成は第１実施形態と同等である。
【００２３】
このように構成した第２実施形態も、収納箱１０が開口部１０ｄを備えていることから、第１実施形態と同等の作用効果が得られる。また、この第２実施形態は、収納箱１０の開口部１０ｄを開閉可能な蓋部１１を設けたことから、例えば標準仕様の刃を有するチェーンソーの収納時、または標準仕様の刃を有するチェーンソーよりも形状寸法の小さな収納物の収納箱１０への収納時には、蓋部１１を閉じることにより、該当するチェーンソーまたは該当する収納物の収納箱１０からの脱落を防ぐことができる。また、標準仕様の刃よりも大きな刃３０ａを有するチェーンソー３０等の大きな工具を含む収納物の収納時には、蓋部１１を開いてチェーンソー３０の刃３０ａ、または該当する収納物の一部を収納箱１０の外部へ突出させることにより、チェーンソー３０、または該当する収納物を支障無く収納箱１０に収納することができる。
【００２４】
また、この第２実施形態は、ヒンジ部１２を介して蓋部１１を容易に開閉させることができ、大きな刃３０ａを有するチェーンソー３０を収納させていた状態から、標準仕様の刃を有するチェーンソーを収納するように変更する際などに、あるいは逆に標準仕様の刃を有するチェーンソーを収納させていた状態から大きな刃３０ａを有するチェーンソー３０を収納するように変更する際などに、蓋部１１を開閉する回動動作が容易であって、この収納物変更作業を簡単に行うことができる。
【００２５】
図９に示す本発明の第３実施形態も、基本的な外観は前述した図１，２に示したミニショベルと同等である。この第３実施形態に係るミニショベルに備えられる収納箱１０の開口部１０ｄにも、第２実施形態と同様に開口部１０を開閉可能な蓋部１１を備えている。また、収納箱１０の側板１０ｂに取り付けられ、蓋部１１を例えば水平方向にスライド可能に保持する案内部１３を備えている。その他の構成は第２実施形態と同等である。
【００２６】
このように構成した第３実施形態も、収納箱１０が開口部１０ｄを備え、開口部１０ｄに蓋部１１を設けてあることから、第２実施形態と同等の作用効果が得られる。また、この第３実施形態は、蓋部１１を案内部１３を介してスライドさせることにより、この蓋部１１を容易に開閉させることができ、大きな刃３０ａを有するチェーンソー３０を収納させていた状態から、標準仕様の刃を有するチェーンソーを収納するように変更する際などに、あるいは逆に標準仕様の刃を有するチェーンソーを収納させていた状態から大きな刃３０ａを有するチェーンソー３０を収納するように変更する際などに、蓋部１１を開閉するスライド動作が容易であって、この収納物変更作業を簡単に行うことができる。
【００２７】
なお、前述した各実施形態にあっては、収納箱１０に収納される収納物として、標準仕様の刃を有する図示しないチェーンソー、及び標準仕様の刃よりも大きな刃３０ａを有するチェーンソー３０を挙げたが、本発明は、これらの収納物に限られず、ホース、ロープ、予備部品、あるいはチェーンソーとは異なる工具等の各種の収納物を収納箱１０に収納することができる。
【符号の説明】
【００２８】
１    走行体
２    旋回体（車体）
３    作業装置
７    運転席
９    外装カバー
１０    収納箱
１０ａ  底板
１０ｂ  側板
１０ｃ  開放部
１０ｄ  開口部
１１    蓋部
１２    ヒンジ部
１３    案内部
２０    ベース部材
２０ａ  ボルト穴
２１    ボルト
３０    チェーンソー（工具）［収納物］
３０ａ  刃
【図１】
2016211165.tif 000003
【図２】
2016211165.tif 000004
【図３】
2016211165.tif 000005
【図４】
2016211165.tif 000006
【図５】
2016211165.tif 000007
【図６】
2016211165.tif 000008
【図７】
2016211165.tif 000009
【図８】
2016211165.tif 000010
【図９】
2016211165.tif 000011